(57)【要約】【課題】設定された目標時間の間、蓄電池から継続して電力を供給することができる負荷選択装置、負荷選択方法及びプログラムを提供することである。【解決手段】実施形態の負荷選択装置は、残容量情報取得部と、優先順位情報取得部と、目標時間情報取得部と、目標出力取得部と、負荷選択部とを持つ。残容量情報取得部は、蓄電池の残容量を示す残容量情報を取得する。優先順位情報取得部は、複数の電力負荷の各々に設定された優先順位を示す優先順位情報を取得する。目標時間情報取得部は、蓄電池から電力負荷へ継続して電力を供給する目標時間を示す目標時間情報を取得する。目標出力取得部は、蓄電池が目標時間継続して電力を供給するための、蓄電池の目標出力を、残容量情報と目標時間情報とに基づいて求める。負荷選択部は、蓄電池の出力が目標出力以内となるように、稼働させる電力負荷を優先順位に応じて選択する。【選択図】図３
2016063549.tif 000002
【特許請求の範囲】
【請求項１】
蓄電池の残容量を示す残容量情報を取得する残容量情報取得部と、
複数の電力負荷の各々に設定された優先順位を示す優先順位情報を取得する優先順位情報取得部と、
前記蓄電池から前記電力負荷へ継続して電力を供給する目標時間を示す目標時間情報を取得する目標時間情報取得部と、
前記蓄電池が前記目標時間継続して電力を供給するための、前記蓄電池の目標出力を、前記残容量情報と前記目標時間情報とに基づいて求める目標出力取得部と、
前記蓄電池の出力が前記目標出力以内となるように、稼働させる電力負荷を前記優先順位に応じて選択する負荷選択部と、
を備える負荷選択装置。
【請求項２】
前記蓄電池の端子電圧が所定の電圧以下となったことが検出された場合、注意喚起信号を出力する注意喚起信号出力部をさらに備える請求項１に記載の負荷選択装置。
【請求項３】
前記蓄電池が出力している電力を示す出力電力情報を取得する出力電力情報取得部と、
前記蓄電池が出力を継続可能な時間である継続可能時間を、前記残容量情報と前記出力電力情報とに基づいて求める継続可能時間取得部と、
前記継続可能時間を表示装置に表示させる表示指示部と、
をさらに備える請求項１又は請求項２に記載の負荷選択装置。
【請求項４】
負荷選択装置の負荷選択方法であって、
蓄電池の残容量を示す残容量情報を取得する残容量情報取得ステップと、
複数の電力負荷の各々に設定された優先順位を示す優先順位情報を取得する優先順位情報取得ステップと、
前記蓄電池から電力負荷へ継続して電力を供給する目標時間を示す目標時間情報を取得する目標時間情報取得ステップと、
前記蓄電池が前記目標時間継続して電力を供給するための、前記蓄電池の目標出力を、前記残容量情報と前記目標時間情報とに基づいて求める目標出力取得ステップと、
前記蓄電池の出力が前記目標出力以内となるように、稼働させる電力負荷を前記優先順位に応じて選択する負荷選択ステップと、
を有する負荷選択方法。
【請求項５】
コンピュータに、
蓄電池の残容量を示す残容量情報を取得する残容量情報取得ステップと、
複数の電力負荷の各々に設定された優先順位を示す優先順位情報を取得する優先順位情報取得ステップと、
前記蓄電池から電力負荷へ継続して電力を供給する目標時間を示す目標時間情報を取得する目標時間情報取得ステップと、
前記蓄電池が前記目標時間継続して電力を供給するための、前記蓄電池の目標出力を、前記残容量情報と前記目標時間情報とに基づいて求める目標出力取得ステップと、
前記蓄電池の出力が前記目標出力以内となるように、稼働させる電力負荷を前記優先順位に応じて選択する負荷選択ステップと、
を実行させるためのプログラム。
【発明の詳細な説明】
【技術分野】
【０００１】
本発明の実施形態は、負荷選択装置、負荷選択方法及びプログラムに関する。
【背景技術】
【０００２】
ビルなどの大規模な建築設備においては、電力会社からの電力供給が途絶えた場合（すなわち、商用停電時）に備えて非常用電源の設置が義務付けられている。一方、小規模の公民館や学校等の公共施設においては、非常用電源が整備されていない場合がある。
これら小規模の公民館や学校等の公共施設は、災害時に避難所等として利用されることがある。避難場所としての用途から、公共施設に例えば蓄電池などの非常用電源が設けられることが好ましい。さらに、停電からの復旧に時間を要する場合等に備えて、設定された目標時間の間、蓄電池から継続して電力を供給できることが好ましい。
【先行技術文献】
【特許文献】
【０００３】
【特許文献１】特開２０１３−２２６０１６号公報
【発明の概要】
【発明が解決しようとする課題】
【０００４】
本発明が解決しようとする課題は、設定された目標時間の間、蓄電池から継続して電力を供給することができる負荷選択装置、負荷選択方法及びプログラムを提供することである。
【課題を解決するための手段】
【０００５】
実施形態の負荷選択装置は、残容量情報取得部と、優先順位情報取得部と、目標時間情報取得部と、目標出力取得部と、負荷選択部とを持つ。残容量情報取得部は、蓄電池の残容量を示す残容量情報を取得する。優先順位情報取得部は、複数の電力負荷の各々に設定された優先順位を示す優先順位情報を取得する。目標時間情報取得部は、蓄電池から電力負荷へ継続して電力を供給する目標時間を示す目標時間情報を取得する。目標出力取得部は、蓄電池が目標時間継続して電力を供給するための、蓄電池の目標出力を、残容量情報と目標時間情報とに基づいて求める。負荷選択部は、蓄電池の出力が目標出力以内となるように、稼働させる電力負荷を優先順位に応じて選択する。
【図面の簡単な説明】
【０００６】
【図１】実施形態の監視制御システムの概略構成図。
【図２】実施形態の中継装置の機能構成を示す概略ブロック図。
【図３】実施形態の監視制御装置の機能構成を示す概略ブロック図。
【図４】実施形態の端末装置の機能構成を示す概略ブロック図。
【図５】実施形態の負荷管理データの例を示す図。
【図６】実施形態の端末装置が表示する制御設定入力画面の例を示す図。
【図７】実施形態の端末装置が表示する制御状態表示画面の例を示す図。
【図８】実施形態の監視制御装置の監視制御処理を示すフローチャート。
【図９】実施形態の監視制御装置の運転時間制御処理を示すフローチャート。
【図１０】実施形態の監視制御装置の定格運転制御処理を示すフローチャート。
【図１１】実施形態の監視制御装置の継続可能時間演算処理を示すフローチャート。
【発明を実施するための形態】
【０００７】
以下、実施形態の負荷選択装置、負荷選択方法及びプログラムを、図面を参照して説明する。
【０００８】
図１は、実施形態の監視制御システムの概略構成図である。同図に示す監視制御システム１は、中継装置１００と、監視制御装置２００と、端末装置３００とを備える。中継装置１００と、監視制御装置２００と、端末装置３００とは、例えばＴＣＰ（Transmission Control Protocol）／ＩＰ（Internet Protocol）などを用いた監視制御ネットワーク９００に接続される。
【０００９】
中継装置１００は、商用電力の受変電設備４１０や、蓄電池４２０に対する監視及び制御を行う。蓄電池４２０は、商用電力の通電時に蓄電を行い、商用電力の停電時に電力を供給する。また、中継装置１００は、非常用負荷５１０や、保安用・一般用負荷５２０などの電力負荷（以下、「負荷」と記載する。）に対する監視及び制御を行う。
図１では、非常用負荷５１０及び保安用・一般用負荷５２０をそれぞれ１つずつ示しているが、複数であってもよい。非常用負荷５１０は、例えば、消防設備や防災設備である。保安用・一般用負荷５２０は、非常負荷以外の保安用負荷や一般用負荷である。
【００１０】
商用電力が供給されている間は、受変電設備４１０から非常用負荷５１０及び保安用・一般用負荷５２０に電力が供給される。停電により商用電力の供給が停止した場合には、蓄電池４２０から非常用負荷５１０及び保安用・一般用負荷５２０に電力が供給される。受変電設備４１０、蓄電池４２０、非常用負荷５１０、及び保安用・一般用負荷５２０は、監視制御システム１における監視制御対象設備である。
【００１１】
なお、監視制御ネットワーク９００に接続される中継装置１００の数は、図１に示す２つに限らない。監視制御ネットワーク９００に１つ、又は３つ以上の中継装置１００が接続されていてもよい。また、受変電設備４１０、蓄電池４２０、非常用負荷５１０、保安用・一般用負荷５２０のいずれか１つ以上が、中継装置１００を介さずに直接、監視制御ネットワーク９００に接続されていてもよい。
【００１２】
監視制御システム１は、受変電設備４１０からの停電状態信号と、蓄電池４２０からの電力信号及び残容量信号と、非常用負荷５１０及び保安用・一般用負荷５２０からの投入状態信号とを取り込む。また、監視制御システム１は、保安用・一般用負荷５２０への入切制御信号を出力する。
停電状態信号は、停電や復電を通知する信号である。電力信号は、蓄電池４２０の供給電力又は受電電力を通知する信号である。残容量信号は、蓄電池４２０の残容量を通知する信号である。
【００１３】
ここでいう残容量は、蓄電池が供給可能（放電可能）な電力量を示す量であり、例えばState Of Charge（ＳＯＣ）を用いることができる。残容量信号は、蓄電池の残容量を満充電に対する割合（例えばパーセント（％））で示す信号であってもよい。あるいは、残容量信号は、蓄電池の残容量をキロワット時（ｋＷｈ）などの電力用の単位で示す信号であってもよい。
【００１４】
投入状態信号は、負荷がｏｎ（入）又はｏｆｆ（切）のいずれの状態であるかを通知する信号である。入切制御信号は、負荷のｏｎ又はｏｆｆを制御する信号である。
中継装置１００は、管理対象設備との間で各信号を、接点及びアナログ取り合いや、各種伝送による通信などで授受する。また、中継装置１００は、監視制御ネットワーク９００を経由して監視制御装置２００や端末装置３００と信号を授受する。
【００１５】
本実施形態の監視制御システム１は、蓄電池４２０の電力供給継続可能時間と電力供給対象の負荷の重要性とのバランスを加味した制御を行う。ここでいう電力供給継続可能時間とは、蓄電池４２０が現在の放電電力を維持した場合に電力供給を継続可能な時間である。なお、電力供給を給電とも称する。
例えば、大震災などにより商用停電が発生した場合、復電がしばらく見込めない状況となる可能性がある。このような状況においては、蓄電池の効率を最大限に生かした運用よりも、電力を供給する負荷を限定してでも、蓄電池の電力供給継続可能時間を長くすることが要求される場合がある。監視制御システム１は、保安用・一般用負荷５２０の重要度と、非常用負荷５１０に加えて保安用・一般用負荷５２０に対して給電した場合に残容量によって蓄電池４２０が電力供給を継続可能な時間とを加味して、保安用・一般用負荷５２０の入切制御を行う。
【００１６】
図２は、中継装置１００の機能構成を示す概略ブロック図である。中継装置１００は、信号入出力部１１０と、信号変換処理部１２０と、通信処理部１３０とを備える。信号入出力部１１０は、監視制御対象設備と通信を行って信号を送受信する。信号変換処理部１２０は、監視制御対象設備との間の信号を、監視制御システム１で取り扱うことができる監視制御用の信号に変換する。例えば、信号変換処理部１２０は、接点の信号をデジタルの信号に変換する。また、信号変換処理部１２０は、監視制御システム１で取り扱う監視制御用の信号を、監視制御対象設備との間の信号に変換する。
通信処理部１３０は、監視制御ネットワーク９００を介して信号を送受信する。
【００１７】
図３は、監視制御装置２００の機能構成を示す概略ブロック図である。監視制御装置２００は、通信部２１０と、記憶部２６０と、制御部２７０とを備える監視制御装置である。制御部２７０は、記憶部制御部２７１と、定格運転制御処理部２７２と、運転時間制御処理部２７３と、継続可能時間取得部２７６と、表示指示部２７７とを備える。運転時間制御処理部２７３は、目標出力取得部２７４と、負荷選択部２７５とを備える。
監視制御装置２００は、例えばコンピュータを用いて構成される。
【００１８】
通信部２１０は、監視制御ネットワーク９００を介して通信を行う。特に、通信部２１０は、残容量情報取得部の例に該当し、蓄電池の残容量を示す残容量情報を取得する。また、通信部２１０は、注意喚起信号出力部の例に該当し、蓄電池４２０の端子電圧が所定の電圧以下となった場合に注意喚起信号を出力する。また、通信部２１０は、出力電力情報取得部の例に該当し、蓄電池４２０が出力している電力を示す出力電力情報を取得する。
【００１９】
また、通信部２１０は、端末装置３００からユーザが入力した制御設定を受信する。制御設定は、制御モード、電力供給継続目標時間、注意喚起電圧、負荷管理データのうち１以上を含む。
制御モードは、定格運転制御を行う定格運転制御モード、又は、運転時間制御を行う運転時間制御モードのいずれのモードであるかを示す。定格運転制御は、蓄電池の効率的運用を目的として、蓄電池の定格容量の出力となるように保安用・一般用負荷５２０への電力供給の入切を行う制御である。運転時間制御は、蓄電池からの給電を目標の時間（電力供給継続目標時間）継続させることを目的として、保安用・一般用負荷５２０への電力供給の入切を行う制御である。
【００２０】
注意喚起電圧は、端末装置３００が、蓄電池４２０の残容量が少なくなっている旨の注意喚起をユーザに対して行う基準となる、蓄電池４２０の端子電圧の設定値である。
負荷管理データは、各負荷の負荷容量及び優先順位を示す。本実施形態では、負荷を制御対象の負荷グループに分け、負荷グループ毎に負荷容量及び優先順位を管理する。
記憶部２６０は、制御モード、電力供給継続目標時間、注意喚起電圧、負荷管理データなどの各種データを記憶する。記憶部２６０は、監視制御装置２００が備える記憶デバイスを用いて構成される。
【００２１】
制御部２７０は、監視制御装置２００の各部を制御して各種処理を行う。制御部２７０は、例えば、監視制御装置２００が備えるＣＰＵ（Central Processing Unit；中央処理装置）が記憶部２６０からプログラムを読み出して実行することで構成される。
記憶部制御部２７１は、記憶部２６０に対するデータの読出、書込及び検索など、記憶部２６０に対する各種制御を行う。特に、記憶部制御部２７１は、通信部２１０が受信した制御設定を記憶部２６０に書き込む。
また、記憶部制御部２７１は、優先順位情報取得部の例に該当し、複数の電力負荷の各々に設定された優先順位を示す優先順位情報を、記憶部２６０から読み出す。また、記憶部制御部２７１は、目標時間情報取得部の例に該当し、蓄電池４２０から電力負荷へ継続して電力を供給する目標時間を示す目標時間情報を取得する。
【００２２】
定格運転制御処理部２７２は、定格運転制御モードにおいて、蓄電池４２０の定格容量の出力となるように保安用・一般用負荷５２０の入切を行う。
運転時間制御処理部２７３は、運転時間制御モードにおいて、蓄電池４２０の残容量に基づいて、蓄電池４２０が目標の時間継続して電力を供給するための目標の放電電力を算出する。そして、運転時間制御処理部２７３は、負荷容量の合計が、算出した目標の放電電力以内となるように、優先順位に応じて稼働させる保安用・一般用負荷５２０を選択する。
【００２３】
継続可能時間取得部２７６は、蓄電池４２０の残容量と放電電力とに基づいて、蓄電池４２０が現在の放電電力での電力供給を継続した場合に、電力供給を継続可能な時間を算出する。なお、継続可能時間取得部２７６が、蓄電池４２０の現在の放電電力に代えてユーザが指定した放電電力の値を用いて、電力供給を継続可能な時間を算出するようにしてもよい。
【００２４】
表示指示部２７７は、端末装置３００に対して画像の表示を指示する。特に、表示指示部２７７は、後述する制御設定入力画面の表示、及び、制御状態表示画面の表示を指示する。例えば、制御状態表示画面の表示の指示において、表示指示部２７７は、現在の制御状態の情報を端末装置３００に表示させる。制御状態の情報は、現在の蓄電池４２０の充放電電力の値、残容量及び電力供給継続可能時間と、負荷投入レベルと、負荷グループ入切状態とを含む。負荷投入レベルは、現在どこまでの優先順位の負荷に対して電力を供給しているかを示す。また、負荷グループ入切状態は、負荷グループ毎に電力が供給されているか（入）、あるいは、電力が遮断されているか（切）を示す。
【００２５】
図４は、端末装置３００の機能構成を示す概略ブロック図である。端末装置３００は、通信部３１０と、操作入力部３２０と、表示部３３０と、記憶部３６０と、制御部３７０とを備える。制御部３７０は、制御状態表示画面処理部３７１と、制御設定入力画面処理部３７２とを備える。
端末装置３００は、例えばコンピュータを用いて構成される。
【００２６】
通信部３１０は、監視制御ネットワーク９００を介して通信を行う。操作入力部３２０は、例えばボタンやキーボード、マウスなどの操作デバイスを備え、ユーザの入力操作を受ける。表示部３３０は、例えば液晶パネルなどの表示画面を有し、各種画像を表示する。特に、表示装置３３０は、表示装置の例に該当し、蓄電池２４０の電力供給継続可能時間を表示する。
記憶部３６０は、制御部３７０が実行するプログラムなど各種情報を記憶する。
【００２７】
制御部３７０は、端末装置３００の各部を制御して各種処理を実行する。制御部３７０は、例えば、端末装置３００が備えるＣＰＵが記憶部３６０からプログラムを読み出して実行することで構成される。
制御状態表示画面処理部３７１は、監視制御装置２００から通知された制御状態の情報を含んだ制御状態表示画面を表示部３３０に表示させる。
制御設定入力画面処理部３７２は、制御設定を入力するための制御設定入力画面を表示部３３０に表示させる。そして、制御設定入力画面処理部３７２は、ユーザが操作入力部３２０を用いて入力した制御設定を検出する。制御設定入力画面処理部３７２は、検出した制御設定を、通信部３１０を介して監視制御装置２００に送信する。
【００２８】
図５は、負荷管理データの例を示す図である。負荷管理データは、負荷のグループと、そのグループの優先順位及び定格負荷とを対応付けた情報である。同図においては、非常用負荷５１０を、優先順位が最も高い負荷グループとして負荷管理データに登録している。最も高い優先順位である非常用負荷５１０は、常に電力を供給するべき対象であるため、入切制御の対象外である。一般的に、保安用負荷及び一般用負荷は、非常用負荷５１０よりも低い優先順位であると考えられるが、保安用負荷が、非常用負荷５１０と同じ優先順位でもよい。
【００２９】
図６は、端末装置３００が表示する制御設定入力画面の例を示す図である。同図に示す制御設定入力画面は、定格運転制御又は運転時間制御の選択ボタンＡ１１、Ａ１２と、電力供給継続目標時間の設定フィールドＡ１３と、注意喚起電圧の設定フィールドＡ１４とを含む。さらに、制御設定入力画面は、負荷グループの設定フィールドＡ１５、優先順位の設定フィールドＡ１６、及び、負荷容量の設定フィールドＡ１７の組を１つ以上含む。加えて制御設定入力画面は、入力した制御設定を監視制御装置２００に設定するよう指示するための設定ボタンＡ１８を含む。
なお、監視制御装置２００が、負荷への電力供給の入切を制御する際に負荷の容量を参照しない場合は、制御設定入力画面に負荷容量の設定フィールドＡ１７が含まれていなくてもよい。
【００３０】
図７は、端末装置３００が表示する制御状態表示画面の例を示す図である。同図に示す制御状態表示画面は、蓄電池４２０の現在の充放電電力の値、残容量、電力供給継続可能時間、負荷投入レベル、及び負荷グループ入切状態の表示を含む。図７の例では、蓄電池４２０の充放電電力として、蓄電池４２０の出力（すなわち、放電電力）を表示している。
【００３１】
続いて、監視制御システム１の動作について説明する。
まず、ユーザが端末装置３００を用いて監視制御装置２００に制御設定を登録しておく。ユーザが端末装置３００の操作入力部３２０により制御設定の実行指示を入力すると、制御設定入力画面処理部３７２は、制御設定の問合せを、通信部３１０を介して監視制御装置２００に送信する。
【００３２】
監視制御装置２００では、記憶部制御部２７１は、記憶部２６０から現在の制御設定を読み出し、読み出した制御設定を、通信部２１０を介して端末装置３００へ返信する。端末装置３００の制御設定入力画面処理部３７２は、通信部３１０が監視制御装置２００から受信した制御設定を、デフォルトでボタンや設定フィールドに設定した制御設定入力画面を、表示部３３０に表示させる。
【００３３】
ユーザは、端末装置３００の操作入力部３２０により、制御設定入力画面に運転モード、蓄電池４２０の電力供給継続目標時間、負荷グループの優先順位や負荷容量のうち１つ以上を入力し、設定ボタンＡ１８を選択する。制御設定入力画面処理部３７２は、ユーザ入力により変更された制御設定を、通信部３１０を介して監視制御装置２００に送信する。監視制御装置２００の記憶部制御部２７１は、通信部２１０が端末装置３００から受信した制御設定を記憶部２６０に登録する。なお、ユーザは、制御設定を随時変更し得る。
【００３４】
商用停電が発生した場合、蓄電池４２０は、非常用負荷５１０へ給電を行う。蓄電池４２０から非常用負荷５１０への電力供給の制御は、受変電設備４１０の現場盤側シーケンスで行うようにしてもよい。あるいは、中継装置１００、監視制御装置２００、又は他の制御装置が、蓄電池４２０から非常用負荷５１０への電力供給の制御を行うようにしてもよい。例えば、受変電設備４１０から電力を供給する通常の系統から、蓄電池４２０から電力を供給する非常用の系統に切り替わり、非常用負荷５１０への給電が行われる。
【００３５】
図８は、監視制御装置２００の監視制御処理を示すフローチャートである。監視制御システム１は、電源系統を通常の系統から非常用の系統へ切り替えて、蓄電池４２０から非常用負荷５１０への給電を開始する停電処理が完了した後に、同図に示す監視制御処理を開始する。そして、監視制御システム１は、商用電力が復電すると同図の監視制御処理を終了する。
【００３６】
図８の処理において、制御部２７０は、記憶部２６０に記憶されている制御モードが運転時間制御モード及び定格運転制御モードのいずれであるかを判定する（ステップＳ１０１）。制御モードが運転時間制御モードであると制御部２７０が判定した場合（ステップＳ１０１：運転時間制御）、運転時間制御処理部２７３は、後述する図９に示す運転時間制御処理を実行する（ステップＳ１１１）。一方、運転モードが定格運転制御モードであると制御部２７０が判定した場合（ステップＳ１０１：定格運転制御）、定格運転制御処理部２７２は、後述する図１１に示す定格運転制御処理を実行する（ステップＳ１２１）。
【００３７】
ステップＳ１１１又はステップＳ１２１の処理の後、継続可能時間取得部２７６は、後述する図１２に示す継続可能時間演算処理を実行する（ステップＳ１３１）。
ステップＳ１３１の後、制御部２７０は、商用電力が復電したか否かを判定する（ステップＳ１３２）。具体的には制御部２７０は、通信部２１０が、受変電設備４１０の復電を通知する信号を中継装置１００から受信したか否かを判定する。
【００３８】
商用電力が復電していないと判定した場合（ステップＳ１３２：ＮＯ）、制御部２７０は、ステップＳ１０１からの処理を繰り返す。
一方、商用電力が復電したと判定した場合（ステップＳ１３２：ＹＥＳ）、制御部２７０は、図８の処理を終了する。図８の処理の後、監視制御システム１は、蓄電池４２０から電力を供給する非常用の系統を受変電設備４１０から電力を供給する通常の系統に切り替える復電時処理を行う。
【００３９】
図９は、監視制御装置２００の運転時間制御処理を示すフローチャートである。監視制御装置２００は、図８のステップＳ１１１において、図９の処理を行う。
図９の処理において、運転時間制御処理部２７３は、蓄電池４２０からの電力供給継続目標時間を記憶部２６０が記憶しているか否かを判定する（ステップＳ２０１）。電力供給継続目標時間が設定されていると判定した場合（ステップＳ２０１：ＹＥＳ）、運転時間制御処理部２７３は、蓄電池４２０の残容量を示す情報を取得する（ステップＳ２１１）。具体的には、記憶部制御部２７１が、蓄電池４２０の残容量を示す情報を記憶部２６０から読み出して、運転時間制御処理部２７３へ出力する。あるいは、運転時間制御処理部２７３が、通信部２１０を介して蓄電池４２０に対し、残容量の通知を指示するようにしてもよい。
【００４０】
次に、運転時間制御処理部２７３は、蓄電池４２０の残容量と、電力供給継続目標時間とに基づいて、蓄電池４２０の目標出力を算出する（ステップＳ２１２）。ここでいう目標出力は、蓄電池４２０が目標時間継続して電力を供給するために、目標とする放電電力である。例えば、運転時間制御処理部２７３は、蓄電池４２０の残容量の電力量を電力供給継続目標時間で除算して、目標出力を算出する。
【００４１】
ステップＳ２１３〜Ｓ２３１において、監視制御装置２００は、注意喚起処理を行う。注意喚起処理は、蓄電池４２０の残容量が低下している場合に、ユーザの注意を喚起するための処理である。
注意喚起処理において、運転時間制御処理部２７３は、注意喚起電圧が設定されているか否かを判定する（ステップＳ２１３）。具体的には、運転時間制御処理部２７３は、記憶部２６０が注意喚起電圧の設定値を記憶しているか否かを判定する。
【００４２】
注意喚起電圧が設定されていると判定した場合（ステップＳ２１３：ＹＥＳ）、運転時間制御処理部２７３は、蓄電池４２０の端子電圧が注意喚起電圧よりも高いか否かを判定する（ステップＳ２２１）。なお、ステップＳ２２１において運転時間制御処理部２７３が行う判定は、蓄電池４２０の残容量が設定値よりも大きいか否かを判定できるものであればよい。例えば、運転時間制御処理部２７３が、ステップＳ２１１で得られた残容量が、予め設定されている注意喚起残容量よりも大きいか否かを判定するようにしてもよい。
【００４３】
端子電圧が注意喚起電圧以下であると運転時間制御処理部２７３が判定した場合（ステップＳ２２１：ＮＯ）、表示指示部２７７が、蓄電池４２０の残容量減少の注意喚起メッセージを端末装置３００に出力させる（ステップＳ２３１）。具体的には、表示指示部２７７は、通信部２１０を介して端末装置３００へ注意喚起メッセージを送信する。そして、端末装置３００において、表示部３３０が、注意喚起メッセージを表示する。なお、端末装置３００が、注意喚起メッセージの表示に加えて、あるいは代えて、警報音又は警報メッセージ音声の出力など表示以外の方法で、ユーザに注意を促すようにしてもよい。
【００４４】
監視制御システム１が注意喚起を行うことで、ユーザは、蓄電池４２０の残容量が低下していることを認識でき、例えば、制御設定を変更する、あるいは、保安用・一般用負荷５２０の一部の機器を手動で停止させるなどの措置を行うことができる。これにより、ユーザは、蓄電池４２０の電力供給継続可能時間を延ばすことができる。
あるいは、使用可能な発電機がある場合、ユーザは、発電機を用いて蓄電池４２０を充電する、あるいは、蓄電池４２０に代えて発電機を用いることができる。
ステップＳ２３１の後、図９の処理を終了して図８の処理へ戻る。
【００４５】
一方、ステップＳ２２１において、端子電圧が注意喚起電圧より大きいと判定した場合（ステップＳ２２１：ＹＥＳ）、蓄電池４２０の出力電力が目標出力電力よりも大きいか否かを判定する（ステップＳ２４１）。
ステップＳ２４１において、蓄電池４２０の出力電力が目標出力電力よりも大きいと判定した場合（ステップＳ２４１：ＹＥＳ）、運転時間制御処理部２７３は、一部の保安用・一般用負荷５２０への電力を遮断する（ステップＳ２５１）。
【００４６】
例えば、運転時間制御処理部２７３は、記憶部２６０に記憶されている負荷管理データを参照し、優先度が高いものから順に、選択した負荷グループの定格負荷の合計が目標出力を超えないように負荷グループを選択する。運転時間制御処理部２７３は、現在電力を供給している保安用負荷や一般用負荷の負荷グループのうち、選択した負荷グループに含まれていない負荷グループへの電力供給を遮断するよう指示する制御信号を、通信部２１０を介して中継装置１００に送信する。
中継装置１００では、通信処理部１３０が、監視制御装置２００からの制御信号を受信する。そして、信号変換処理部１２０が、当該制御信号を、制御信号により指示された負荷グループに含まれる機器への電力を遮断するための入切信号に変換し、信号入出力部１１０が、当該入切信号を送信する。
【００４７】
あるいは、運転時間制御処理部２７３が、記憶部２６０が記憶している負荷管理データを参照し、現在電力を供給している負荷グループの中で最も優先度が低い負荷グループを選択するようにしてもよい。この場合、運転時間制御処理部２７３は、選択された負荷グループへの電力供給を遮断するよう指示する制御信号を、通信部２１０を介して中継装置１００に送信する。
【００４８】
あるいは、運転時間制御処理部２７３が、蓄電池４２０の放電電力から、ステップＳ２１２で得られた目標出力を減算して、削減目標出力を算出するようにしてもよい。この場合、運転時間制御処理部２７３は、記憶部２６０に記憶されている負荷管理データを参照し、現在電力を供給している負荷グループのうち優先度が低い順に、選択した負荷グループの定格負荷の合計が削減目標出力以上となるまで負荷グループを選択する。運転時間制御処理部２７３は、選択された負荷グループへの電力供給を遮断するよう指示する制御信号を、通信部２１０を介して中継装置１００に送信する。
ステップＳ２５１の後、図９の処理を終了して図８の処理へ戻る。
【００４９】
一方、ステップＳ２４１において、出力電力が目標出力電力以下であると判定した場合（ステップＳ２４１：ＮＯ）、運転時間制御処理部２７３は、負荷の現状維持、又は、一部の保安用・一般用負荷５２０への電源投入を行う（ステップＳ２６１）。
例えば、運転時間制御処理部２７３は、記憶部２６０に記憶されている負荷管理データを参照し、優先度が高いものから順に、選択した負荷グループの定格負荷の合計が目標出力を超えないように負荷グループを選択する。運転時間制御処理部２７３は、選択された負荷グループのうち、電力を供給していない負荷グループへの電力供給を開始するよう指示する制御信号を、通信部２１０を介して中継装置１００へ送信する。
【００５０】
中継装置１００では、通信処理部１３０が、監視制御装置２００からの制御信号を受信する。そして、信号変換処理部１２０が、当該制御信号を、制御信号により指示された負荷グループに含まれる機器へ電力供給を開始するための入切信号に変換し、信号入出力部１１０が、当該入切信号を送信する。
なお、該当する負荷グループがない場合、運転時間制御処理部２７３は、負荷への電力供給を現状のまま維持する。
【００５１】
あるいは、運転時間制御処理部２７３が、記憶部２６０が記憶している負荷管理データを参照し、電力を供給していない負荷グループのうち最も優先度が高い負荷グループを選択するようにしてもよい。この場合、運転時間制御処理部２７３は、選択された負荷グループへの電力供給を開始するよう指示する制御信号を、通信部２１０を介して中継装置１００へ送信する。
【００５２】
あるいは、運転時間制御処理部２７３が、ステップＳ２１２で得られた目標出力から蓄電池４２０の放電電力を減算して、増加目標出力を算出するようにしてもよい。この場合、運転時間制御処理部２７３は、記憶部２６０が記憶している負荷管理データを参照し、電力を供給していない負荷グループのうち優先度が高いものから順に、負荷グループの定格負荷の合計が増加目標出力を超えないように負荷グループを選択する。運転時間制御処理部２７３は、選択された負荷グループへの電力供給を開始するよう指示する制御信号を、通信部２１０を介して中継装置１００へ送信する。
ステップＳ２６１の後、図９の処理を終了して図８の処理へ戻る。
一方、ステップＳ２１３において、注意喚起電圧が設定されていないと判定した場合（ステップＳ２１３）、ステップＳ２４１へ遷移する。
【００５３】
図１０は、監視制御装置２００の定格運転制御処理を示すフローチャートである。監視制御装置２００は、図８のステップ１２１において、図１０の処理を行う。
図１０の処理において、定格運転制御処理部２７２は、蓄電池４２０の放電電力が定格出力よりも大きいか否かを判定する（ステップＳ３０１）。
蓄電池４２０の放電電力が定格出力よりも大きいと判定した場合（ステップＳ３０１：ＹＥＳ）、定格運転制御処理部２７２は、優先度に基づいて一部の保安用・一般用負荷５２０への電力を遮断する（ステップＳ３１１）。
【００５４】
ステップＳ３１１において定格運転制御処理部２７２が負荷グループを選択する方法は、ステップＳ２５１において運転時間制御処理部２７３が負荷グループを選択する方法と同様である。但し、ステップＳ２５１では、負荷の合計が目標負荷を超えないように負荷グループを選択したのに対し、ステップＳ３１１では、負荷の合計が蓄電池４２０の定格出力を超えないように負荷グループを選択する。
ステップＳ３１１の後、図１０の処理を終了して図８の処理へ戻る。
【００５５】
一方、蓄電池４２０の放電電力が定格出力以下であると判定した場合（ステップＳ３０１：ＮＯ）、定格運転制御処理部２７２は、優先度に基づいて一部の保安用・一般用負荷５２０へ電源を投入する（ステップＳ３２１）。
ステップＳ３２１において定格運転制御処理部２７２が負荷グループを選択する方法は、ステップＳ２６１において運転時間制御処理部２７３が負荷グループを選択する方法と同様である。但し、ステップＳ２６１では、負荷の合計が目標負荷を超えないように負荷グループを選択したのに対し、ステップＳ３２１では、負荷の合計が蓄電池４２０の定格出力を超えないように負荷グループを選択する。
ステップＳ３２１の後、図１０の処理を終了して図８の処理へ戻る。
【００５６】
図１１は、監視制御装置２００の継続可能時間演算処理を示すフローチャートである。監視制御装置２００は、図８のステップＳ１３１において、図１１の処理を行う。
図１１の処理において、継続可能時間取得部２７６は、蓄電池４２０の残容量を示す情報を取得する（ステップＳ４０１）。ステップＳ４０１は、図９のステップＳ２１１と同様である。
【００５７】
また、継続可能時間取得部２７６は、負荷の消費電力の合計値を示す情報を取得する（ステップＳ４１１）。例えば、継続可能時間取得部２７６は、蓄電池４２０の放電電力値を、負荷の消費電力の合計値として取得する。
そして、継続可能時間取得部２７６は、蓄電池４２０の残容量と、負荷の消費電力の合計値とに基づいて、電力供給継続可能時間を算出する（ステップＳ４２１）。例えば、継続可能時間取得部２７６は、蓄電池４２０の残容量を負荷の消費電力の合計値で除算して、電力供給継続可能時間を算出する。
ステップＳ４２１の後、図１１の処理を終了して図８の処理へ戻る。
【００５８】
なお、上記の処理において、監視制御装置２００が、蓄電池４２０の残容量など監視制御対象設備の情報を取得する方法として、様々な方法を用いることができる。例えば、監視制御装置２００が、情報の通知を指示する信号を、中継装置１００を介して監視制御対象設備へ送信するようにしてもよい。あるいは、監視制御対象設備が定期的に状態情報を送信し、記憶部２６０が当該状態情報を記憶しておくようにしてもよい。
また、端末装置３００が、負荷グループ入切状態を監視制御装置２００から取得するようにしてもよいし、中継装置１００から取得するようにしてもよい。例えば、端末装置３００が、中継装置１００に負荷投入状態の問い合わせを送信するようにしてもよい。
【００５９】
中継装置１００は、非常用負荷５１０及び保安用・一般用負荷５２０から入力される投入状態信号に基づいて各負荷グループの入切状態を判定し、通信処理部１３０を介して監視制御装置２００又は端末装置３００、あるいはその両方に通知する。
なお、端末装置３００が、制御状態表示画面の表示を、図８のステップＳ１３１の処理の後に行うようにしてもよい。
【００６０】
なお、図１１のステップＳ４２１において、継続可能時間取得部２７６が、蓄電池４２０がユーザの指定する放電電力での電力供給を継続した場合に、電力供給を継続可能な時間を算出するようにしてもよい。継続可能時間取得部２７６が、蓄電池４２０が現在の放電電力での電力供給を継続した場合に、電力供給を継続可能な時間に加えて、あるいは代えて、上記の時間を算出する。
【００６１】
例えば、ユーザは、端末装置３００の操作入力部３２０により蓄電池４２０の出力（放電電力）を入力し、電力供給継続可能時間演算の実行を指示する。端末装置３００は、入力された蓄電池４２０の出力と、電力供給継続可能時間演算の実行指示を監視制御装置２００に送信する。監視制御装置２００の継続可能時間取得部２７６は、ユーザが入力した蓄電池４２０の出力での電力供給を継続した場合に、電力供給を継続可能な時間を算出し、通信部２１０が、計算結果を端末装置３００へ送信する。
端末装置３００では、表示部３３０が、計算結果（蓄電池４２０がユーザの指定する放電電力での電力供給を継続した場合に、電力供給を継続可能な時間）を表示する。
このようにユーザ指定の蓄電池４２０出力に基づき演算された電力供給継続可能時間は、ユーザが、蓄電池４２０から継続して電力を供給する目標時間の決定や、手動で保安負荷や一般用負荷への電源の遮断や投入を制御するための判断材料とすることができる。
【００６２】
以上のように、目標出力取得部２７４は、蓄電池４２０が目標時間継続して電力を供給するための目標出力を、残容量と、蓄電池４２０から継続して電力を供給する目標時間とに基づいて求める。そして、負荷選択部は、蓄電池４２０の出力が目標出力以内となるように、稼働させる電力負荷を、電力負荷に設定されている優先順位に応じて選択する。
これにより、監視制御装置２００では、設定された目標時間の間、蓄電池４２０から継続して電力を供給することができる。
【００６３】
また、通信部２１０は、蓄電池４２０の端子電圧が所定の電圧以下となったことを運転時間制御処理部２７３が検出した場合、注意喚起信号を出力する。
これにより、端末装置３００は、蓄電池４２０の残容量が低下した旨の注意喚起をユーザに対して行うことができる。ユーザは、当該注意喚起により、蓄電池４２０の残容量が低下していることを認識でき、例えば、制御設定を変更する、あるいは、保安用・一般用負荷５２０の一部の機器を手動で停止させるなどの措置を行うことができる。これにより、ユーザは、蓄電池４２０の電力供給継続可能時間を延ばすことができる。
【００６４】
また、継続可能時間取得部２７６は、蓄電池４２０の残容量と蓄電池の出力（放電電力）とに基づいて、蓄電池４２０の出力を継続可能な時間である継続可能時間（電力供給継続可能時間）を求める。そして、表示指示部２７７は、継続可能時間取得部２７６が求めた継続可能時間を、端末装置３００の表示部３３０に表示させる。
これにより、ユーザは、蓄電池４２０が電力供給を継続可能な時間を把握することができる。そして、ユーザは、必要に応じて、制御設定を変更する、あるいは、保安用・一般用負荷５２０の一部の機器を手動で停止させるなどの措置を行うことができる。これにより、ユーザは、蓄電池４２０が電力供給を継続可能な時間を延ばすことができる。
【００６５】
上述した実施形態における中継装置１００、監視制御装置２００、及び端末装置３００の機能の一部又は全部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【００６６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６７】
１００…中継装置、１１０…信号入出力部、１２０…信号変換処理部、１３０…通信処理部、２００…監視制御装置、２１０…通信部、２６０…記憶部、２７０…制御部、２７１…記憶部制御部、２７２…定格運転制御処理部、２７３…運転時間制御処理部、２７４…目標出力取得部、２７５…負荷選択部、２７６…継続可能時間取得部、２７７…表示指示部、３００…端末装置、３１０…通信部、３２０…操作入力部、３３０…表示部、３６０…記憶部、３７０…制御部、３７１…制御状態表示画面処理部、３７２…制御設定入力画面処理部、４１０…受変電設備、４２０…蓄電池、５１０…非常用負荷、５２０…保安用・一般用負荷、９００…監視制御ネットワーク
【図１】
2016063549.tif 000003
【図２】
2016063549.tif 000004
【図３】
2016063549.tif 000005
【図４】
2016063549.tif 000006
【図５】
2016063549.tif 000007
【図６】
2016063549.tif 000008
【図７】
2016063549.tif 000009
【図８】
2016063549.tif 000010
【図９】
2016063549.tif 000011
【図１０】
2016063549.tif 000012
【図１１】
2016063549.tif 000013